【手続補正書】
【提出日】平成21年11月13日(2009.11.13)
【手続補正１】
【補正対象書類名】特許請求の範囲
【補正対象項目名】全文
【補正方法】変更
【補正の内容】
【特許請求の範囲】
【請求項１】
ユーザ入力を検出するように構成されたワイヤレス入力デバイスを操作する方法であって、前記ワイヤレス入力デバイスは、該ワイヤレス入力デバイスの内部電源から電力を供給される１つまたは複数のワイヤレスコンポーネントを備え、前記方法は、
ワイヤレスデータ伝送サイクルの非伝送期間の間、前記ワイヤレス入力デバイスの前記１つまたは複数のワイヤレスコンポーネントを非アクティブにするステップであって、該非アクティブにすることは、前記１つまたは複数のワイヤレスコンポーネントをパワーダウンさせることを含む、該非アクティブにするステップと、
前記非伝送期間の間、初期検出レートを有する所定の検出レートに従って中間ユーザ入力に対応する中間データを判断するステップであって、前記所定の検出レートは、前記ワイヤレス入力デバイスによって検出されるユーザ入力のスピードに適応する、該判断するステップと、
前記中間データをストレージバッファに格納するステップと、
前記ワイヤレスデータ伝送サイクルの伝送期間に到達すると、現在のユーザ入力に対応する現在データを判断するステップと、
前記伝送期間に到達すると、前記１つまたは複数のワイヤレスコンポーネントをアクティブにするステップであって、該アクティブにすることは、前記１つまたは複数のワイヤレスコンポーネントをパワーオンさせることを含む、該アクティブにするステップと、
前記伝送期間の間、格納された前記中間データと前記現在データを受信デバイスに伝送するステップと
を含むことを特徴とする方法。
【請求項２】
前記ワイヤレスデータ伝送サイクルの前記非伝送期間は、２つの連続する伝送期間の間の期間によって定義されることを特徴とする請求項１に記載の方法。
【請求項３】
前記中間データおよび前記現在データは、位置データを含むことを特徴とする請求項１に記載の方法。
【請求項４】
前記ワイヤレスデータ伝送サイクルの前記伝送期間は、所定の報告レートに従って生じることを特徴とする請求項１に記載の方法。
【請求項５】
前記中間データをストレージバッファに格納するステップは、
前記非伝送期間の間に、第１のユーザ入力と該第１のユーザ入力の後に検出された第２のユーザ入力との差を判断するステップと、
前記第１のユーザ入力と前記第２のユーザ入力との前記差が所定のしきい値以下である場合は、前記第２のユーザ入力に対応する中間データを破棄するステップと
をさらに含むことを特徴とする請求項１に記載の方法。
【請求項６】
ワイヤレス入力デバイスであって、
ワイヤレス通信ネットワークでデータを伝送するトランシーバと、
プロセッサと、
前記プロセッサによって実行されると、該ワイヤレス入力デバイスに、
ワイヤレスデータ伝送サイクルの非伝送期間の間、前記トランシーバの少なくとも一部を非アクティブにするステップであって、該非アクティブにすることは、前記トランシーバの少なくとも一部をパワーダウンさせることを含む、該非アクティブにするステップと、
前記非伝送期間の間、該ワイヤレス入力デバイスによって検出されたユーザ入力のスピードに適応する所定の検出レートに従って、中間ユーザ入力に対応する中間データを判断するステップと、
前記中間データをストレージバッファに格納するステップと、
格納された前記中間データ内の第１の中間ユーザ入力と、格納された前記中間データ内の第２の中間ユーザ入力との差を判断するステップであって、前記第２の中間ユーザ入力は、前記非伝送期間の間に前記第１のユーザ中間入力の後に検出される、該判断するステップと、
前記第１の中間ユーザ入力と前記第２の中間ユーザ入力との前記差が所定のしきい値以下である場合は、前記第２の中間ユーザ入力に対応する、格納された前記中間データを破棄するステップと、
前記ワイヤレスデータ伝送サイクルの伝送期間に到達すると、現在のユーザ入力に対応する現在データを判断するステップと、
前記伝送期間に到達すると、前記トランシーバをアクティブにするステップであって、該アクティブにすることは前記トランシーバをパワーオンさせることを含む、該アクティブにするステップと、
前記伝送期間の間に、格納された前記中間データと前記現在データを受信デバイスに伝送するステップと
を実行させるコンピュータ読み取り可能な命令を格納したメモリと
を備えたことを特徴とするワイヤレス入力デバイス。
【請求項７】
前記中間データと前記現在データは、位置データを含むことを特徴とする請求項６に記載のワイヤレス入力デバイス。
【請求項８】
前記中間データと前記現在データは、前記非伝送期間の間における面の第１の軸に沿った前記ワイヤレス入力デバイスの位置の変化と、前記面の第２の軸に沿った前記ワイヤレス入力デバイスの位置の変化とを含むことを特徴とする請求項７に記載のワイヤレス入力デバイス。
【請求項９】
前記ワイヤレスデータ伝送サイクルの前記伝送期間は、所定の報告レートに従って生じることを特徴とする請求項６に記載のワイヤレス入力デバイス。
【請求項１０】
前記プロセッサは、所定の検出レートで中間データを判断するように構成されることを特徴とする請求項６に記載のワイヤレス入力デバイス。
【請求項１１】
前記中間データをストレージバッファに格納するステップは、
第１のユーザ入力と、第１のユーザ入力に続いて検出される第２のユーザ入力との差を判断するステップと、
前記第１のユーザ入力と前記第２のユーザ入力との前記差が所定のしきい値以下である場合は、前記第２のユーザ入力に対応する中間データを破棄するステップと
をさらに含むことを特徴とする請求項６に記載のワイヤレス入力デバイス。
【請求項１２】
プロセッサによって実行されると、ユーザ入力を検出するように構成されたワイヤレス入力デバイスに、
ワイヤレスデータ伝送サイクルの非伝送期間の間、前記ワイヤレス入力デバイスの１つまたは複数のワイヤレスコンポーネントを非アクティブにするステップであって、該非アクティブにすることは、前記１つまたは複数のワイヤレスコンポーネントをパワーダウンさせることを含む、該非アクティブにするステップと、
前記非伝送期間の間、初期検出レートを有する所定の検出レートに従って中間ユーザ入力に対応する中間データを判断するステップであって、前記所定の検出レートは、前記ワイヤレス入力デバイスによって検出されるユーザ入力のスピードに適応する、該判断するステップと、
前記中間データをストレージバッファに格納するステップと、
前記ワイヤレスデータ伝送サイクルの伝送期間に到達すると、現在ユーザ入力に対応する現在データを判断するステップと、
前記伝送期間に到達すると、前記１つまたは複数のワイヤレスコンポーネントをアクティブにするステップであって、該アクティブにすることは、前記１つまたは複数のワイヤレスコンポーネントをパワーオンさせることを含む、該アクティブにするステップと、
前記伝送期間中に、格納された前記中間データと前記現在データを受信デバイスに伝送するステップと
を含む方法を実行させるコンピュータ実行可能な命令を記録したことを特徴とするコンピュータ読み取り可能な記録媒体。
【請求項１３】
前記ワイヤレスデータ伝送サイクルの前記伝送期間は、所定の報告レートに対応することを特徴とする請求項１２に記載のコンピュータ読み取り可能な記録媒体。
【請求項１４】
前記ワイヤレスデータ伝送サイクルの前記非伝送期間は、所定の検出レートに対応することを特徴とする請求項１２に記載のコンピュータ読み取り可能な記録媒体。